(57)【要約】      （修正有）【課題】その居場所を明確にして、その利用者の生体情報を簡易的に伝える健康装置を提供する。【解決手段】トイレ便座上に簡易的に設置され密封式ウレタンセンサーマット方式の生体情報計測システムによる、呼吸、脈拍、いびきなどのほかに排便時のいきみ、排尿感や居場所確認のためのＧＰＳによる位置情報が内包された簡易便座マット。そのカバーとその簡易便座マット及び床離床センサーマットからなる。【選択図】図１
2019030617.tif 000002
【特許請求の範囲】
【請求項１】
トイレ便座上に簡易的に設置され密封式ウレタンセンサーマット方式の生体情報計測システムによる、呼吸、脈拍、いびきなどのほかに排便時のいきみ、排尿感や居場所確認のためのＧＰＳによる位置情報が内包された簡易便座マット。
そのカバーとその簡易便座マット及び床離床センサーマットからなる。
【請求項２】
前記簡易トイレ便座の密封式ウレタンセンサーマット方式のセンサー付き便座マットと便座カバーシステムは認知症で徘徊する老人や利用者が便座に座っているか離床しているかをＩＰＨＯＮＥなどへブルーツースやＷＩ−ＨＩなどで転送し、表示するアプリからなる。
【請求項３】
本システムは無拘束タイプである、密封式ウレタンセンサーマット便器一体型や密封式ウレタンセンサーマットを便座の裏へ貼り付けて使うことも可能である。
前記その簡易トイレ便座のマットに座っているか離床しているかを計測、位置情報を示すこと。
【請求項４】
前記２，３請求項システムとトイレを利用して排泄や排尿をする心拍や胎動や脈拍を計測する、
前記２，３，４項のシステムと排便と排尿などを感知する密封式ウレタンセンサーマットによる心拍や胎動を小型マイクに音として伝えて、薄いフィルムシート状の基盤にチップマウントされたセンサーと位置情報を伝えるＧＰＳシステムからなる生体情報システム。
【請求項５】
請求項１〜４の何れか１項に記載のシステムに検知されるＷＩ−ＨＩかブルーツースシステムの転送ワイヤレスシステム。
既存の便座に簡単に装着ができ、ウレタン便座の圧力による差を検知してＧＰＳ位置情報や脈拍や胎動，排便、いきみ、おなら、排尿、など検出。
【請求項６】
ＩＰＨＯＮＥなどにアプリをダウンロードして使用。
１から６までの請求項には、専用のアルゴリズムを特徴とする。
【発明の詳細な説明】
【技術分野】
【０００１】    本発明は、健康装置としての生活から起こる生活習慣病の一種類である無呼吸や脈拍やいびきのほかに排便や、排尿からいきみや排便感や呼吸や脈派や位置情報のＧＰＳによる離床などの検知を可能とする簡易型システム。
制御する排便、排尿、離床、などの生体情報を検知システム。
【背景技術】
【０００２】排便や排尿をするだけの便座に無拘束の機能を持たせることにより、徘徊や排泄や排尿、脈派、胎動、呼吸などの生体情報の検知を可能とする。
【先行技術文献】
【特許文献】
【０００３】
【特許文献１】特開２０１６−６７４２９号広報
【特許文献２】特開２０１３−２４８３６４号広報
【非特許文献】
【非特許文献】特許５９６０５１８号
【０００４】
【非特許文献１】元法政大学教授渡邊嘉二郎氏（工学、医学博士）の諸論文には散見できない。
【発明の概要】
【発明が解決しようとする課題】
【０００５】高齢者や障がい者や独居老人や介護を受けている利用者などの弱者は、自力での排便や排尿が困難になる場合がある。排泄行為は日々の体調を維持して、環境の整備と清潔感の場所としてのトイレを生体情報の提供可能とする。
排泄は個人によって違い、さらに高齢者、障がい者や要介護者では体の拘縮が著しい場合があり、特許文献のような
拘縮の強い使用者の場合は身体の関節が動かず、大きく動作自体が出来ない場合がある。この場合は体圧が集中することを回避する必要があるが、トイレま移動する行動が、これを行うことができなかった。【０００６】  本発明の目的は、使用者の排便を妨げることなく、また、その位置や拘縮した身体にも対応し、静穏かつより細かい精度で無理のない形で生体情報の取得を目指し、使用者の利便性を確保して、どこにいるのか、その居場所と生体情報を提供することにある。
【課題を解決するための手段】
【０００７】本発明はその居場所を明確にして、その利用者の生体情報を簡易的に伝える健康装置。【０００８】前記利用者の居場所をＧＰＳなどで的確に伝えて、その間の生体情報をモニターする。
【発明の効果】
【０００９】位置情報の確認と脈拍、胎動と排便や排尿の検出が簡単に可能。【００１０】本発明は簡易ベンザのセンサーマットを本ベンザの上に設置する、簡易トイレ上でも可能。【００１１】本発明は簡易型生体情報と位置情報を取得可能な健康装置である。
【図面の簡単な説明】
【００１２】
【図１】本発明の特徴はベンザの上に簡易的に設置して生体情報と位置情報が（本人の居場所）の確認が可能。ａ  １  本発明の密封式ウレタンセンサーマット便座。２  既存の便座。４  本発明の床置き密封センサーマット。ｂ  ５  ＩＰＨＯＮＥ  ｃ  ６  パソコン
【図２】ｄ  １  本発明の密封式ウレタンマット便座  ２  既存の便座  ４  本発明の床置き密封式センサーマット
【図３】ｅ  横から見た形状  １  本発明の密封式ウレタンセンサーマット  ２  既存の便座  ４  本発明の床置き密封センサーマット
【図４】ｆ  正面から見た形状  １  本発明の密封式ウレタンセンサーマット  ２  既存お便座
【図５】ｇ  ７  軟質塩ビかゴム系のウレタン上カバー  ８  モジュール上蓋  ９  ケース  １０  ＩＣモジュール  １１  小型バッテリー  １２  小型マイク  １３  密封式ウレタンセンサーマット  １４  軟質塩ビかゴム系ウレタンマット下部
【図６】ｈ  ２  既存便座  ７  軟質塩ビかゴム系ウレタンセンサーマット上カバー  ８  上蓋  ９  ケース  １０  ＩＣモジュール  １１  フレキシブルフィルム基盤  １２  小型センサーマイク  １３  密封式ウレタンセンサーマット  １４  軟質塩ビかゴム系ウレタンマット下部
【図７】系統システム図
【発明を実施するための形態】
【００１３】  以下、本発明の実施形態を図面に基づいて詳細に説明する。
図１は本発明の一実施形態である構成と三面図。
前記生体情報を取得可能なマットレスにて生体情報を得て、心拍や胎動などのほかに排便時の息使い回数や排尿時の回数や使用者の位置情報などを、ＷＩ−ＨＩやブルートース方式で情報をネット接続やＩＰＨＯＮＥやパソコンへ伝える。
ベース部の基本機能について説明する。
【００１４】図５は、図の専用操作機器についての機能説明。
機能部を構成する各要素を示した斜視図、断面図。
【符号の説明】〔図１〕
ａ
１  ベンザ
２  密封式ウレタンセンサーマット
４  センサーマット
ｂ
５  ＩＰＨＯＮＥ
ｃ
６  パソコン
〔図２〕上面図
ｄ
１  密封式ウレタンセンサーマット
２  既存便座
４  センサーマット床置きタイプ
〔図３〕側面図
ｅ
１  密封式ウレタンセンサーマット
２  既存便座
４  ウレタンセンサーマット床置きタイプ
〔図４〕正面図
ｆ
１  密封式ウレタンセンサーマット
２  既存便座
〔図５〕密封式ウレタンマット搆成図
７  軟質ウレタンカバー
８  ウワケースカバー
９  ケース本体
１０  センサーモジュール
１１  バッテリィー
１２  小型マイク
１３  ウレタンマット
１４  軟質ウレタン下カバー
〔図６〕
１  ベンザ
７  軟質ウレタン上カバー
８  上カバーケースフタ
１０  センサーモジュール
１２  小型マイク
１３  ウレタンマット
１４  軟質ウレタン下カバー
〔図７〕系統システム図
【図１】
2019030617.tif 000003
【図２】
2019030617.tif 000004
【図３】
2019030617.tif 000005
【図４】
2019030617.tif 000006
【図５】
2019030617.tif 000007
【図６】
2019030617.tif 000008
【図７】
2019030617.tif 000009